(57)【要約】      （修正有）【課題】用紙の横方向へのずれ、搬送の抵抗を抑えることができる発券機を提供することである。【解決手段】発券機は、筐体と、支持ブラケット５０と、カラーユニット６０と、を持つ。筐体は、ロール紙を装填可能に形成されている。支持ブラケットは、弾性変形可能に形成され、ロール紙の両側面側に配置されている。カラーユニットは、支持ブラケットに支持軸が支持され、支持軸に筒状のカラー６２〜６４が回転自在に嵌合されている。カラーは、支持ブラケットの付勢力でロール紙の両側面２０ａ、２０ｂに当接される。【選択図】図３
2018154473.tif 000002
【特許請求の範囲】
【請求項１】
ロール紙が装填される筐体と、
前記ロール紙の両側面側に配置される弾性変形可能な支持ブラケットと、
前記支持ブラケットに支持軸が支持され、前記支持軸に筒状のカラーが回転自在に嵌合され、前記カラーが前記支持ブラケットの付勢力で前記ロール紙の両側面に当接されるカラーユニットと、
を備えた発券機。
【請求項２】
前記支持軸は金属製の軸であり、
前記筒状のカラーは樹脂製である、
請求項１に記載の発券機。
【請求項３】
前記カラーは、前記支持軸の軸方向に複数個重ねられている、
請求項１または請求項２に記載の発券機。
【請求項４】
前記支持ブラケットは、
前記筐体側に取り付けられた基端部と、
前記ロール紙から離間された自由端であり、前記支持軸を支える先端部と、
を有する、
請求項１〜請求項３のいずれか１項に記載の発券機。
【発明の詳細な説明】
【技術分野】
【０００１】
本発明の実施形態は、発券機に関する。
【背景技術】
【０００２】
発券機は、発券時に、ロール状に巻かれたロール紙から用紙を送り出して切断し、切断した券紙（券媒体）の表面に磁気書込み及び印字などの券処理を行い、乗車券を発券する。発券機は、発券機の支持軸にロール紙の中央穴を差し込んでロール紙を発券機に装填する。
一方、発券機のなかには、ロール紙を一対の搬送ローラに載せた状態で発券機に装填するものがある。ロール紙を転がして発券機に装填できるので係員の動作が手軽に済む。
【０００３】
この発券機は、一対の搬送ローラでロール紙を回転させ、用紙の搬出と巻取りとをおこなう。このとき、ロール紙が跳ねて径方向外側に用紙のたるみが生じ、ロール紙の径方向外側の用紙がロール紙の横方向（軸方向）にずれることが考えられる。用紙が横方向にずれた場合、用紙の側縁が発券機の側壁に接触しながら搬送されることになり、側壁で用紙の側縁が折り曲げられるおそれがある。
ロール紙の横方向へのずれを抑える手段として、ロール紙の側面を拘束することが考えられる。しかし、ロール紙の側面を拘束した場合、用紙の搬送の抵抗となることが考えられる。
【先行技術文献】
【特許文献】
【０００４】
【特許文献１】特開２０００−３３１１９７号公報
【発明の概要】
【発明が解決しようとする課題】
【０００５】
本発明が解決しようとする課題は、用紙の横方向へのずれ、搬送の抵抗を抑えることができる発券機を提供することである。
【課題を解決するための手段】
【０００６】
実施形態の発券機は、筐体と、支持ブラケットと、カラーユニットと、を持つ。筐体は、ロール紙を装填可能に形成されている。支持ブラケットは、弾性変形可能に形成され、ロール紙の両側面側に配置されている。カラーユニットは、支持ブラケットに支持軸が支持され、支持軸に筒状のカラーが回転自在に嵌合されている。カラーは、支持ブラケットの付勢力でロール紙の両側面に当接される。
【図面の簡単な説明】
【０００７】
【図１】一実施形態における発券機を示す斜視図。
【図２】一実施形態における発券機の筐体の内部を示す斜視図。
【図３】一実施形態における発券機の筐体の内部を示す平面図。
【図４】一実施形態における発券機の搬送部を示す側面図。
【図５】一実施形態における発券機のロール紙と側面保持部とを示す側面図。
【図６】図５のＶＩ−ＶＩ線に沿う断面図。
【発明を実施するための形態】
【０００８】
以下、実施形態の発券機を、図面を参照して説明する。
図１は、一実施形態における発券機１を示す斜視図である。図２は、一実施形態における発券機１の筐体２の内部を示す斜視図である。本実施形態では、発券機１は、筐体２と、搬送部３と、側面保持部４とを備えている。発券機１は、例えば、発券時にロール紙から用紙を送り出して切断し、切断した券紙（券媒体）の表面に磁気書込み及び印字などの券処理を行い、乗車券を発券する。
【０００９】
筐体２は、前壁１０と、後壁１１と、一対の側壁１３と、底部１４と、頂部１５とを備えている。前壁１０には扉１６が設けられている。筐体２の内部には一対の側面ガイド１７，１８が設けられている。前壁１０、後壁１１、一対の側壁１３、底部１４、および頂部１５で筐体２が矩形体状に形成されている。
【００１０】
前壁１０には扉１６が開閉自在に設けられている。扉１６は、下端部１６ａが前壁１０の下端部１０ａに回転自在に連結されている。扉１６は、下端部１６ａを軸に扉１６を筐体２の外側に開放可能に構成されている。外側に開いた扉１６の内面１６ｂを利用してロール紙２０を転がすことにより、ロール紙２０を筐体２の内部に装填できる。
すなわち、筐体２は、ロール紙２０の軸線２１に対して交差する矢印Ａ方向からロール紙２０を装填可能に構成されている。
【００１１】
筐体２の内部には一対の側面ガイド１７，１８が設けられている。一対の側面ガイド１７，１８は、ロール紙２０の幅寸法より僅かに大きな間隔をおいて筐体２に取り付けられている。よって、一対の側面ガイド１７，１８は、ロール紙２０の両側面２０ａ，２０ｂに対して間隔をおいて配置される。
【００１２】
以下、一対の側面ガイド１７，１８の一方を第１側面ガイド１７、他方を第２側面ガイド１８として説明する。また、ロール紙２０の両側面２０ａ，２０ｂの一方を第１側面２０ａ、他方を第２側面２０ｂとして説明する。
第１側面ガイド１７は、ロール紙２０の第１側面２０ａを略全域覆うように形成されている。第２側面ガイド１８は、ロール紙２０の第２側面２０ｂを略全域覆うように形成されている。
【００１３】
また、第１側面ガイド１７は、前部に拡幅部１７ａと、傾斜部１７ｂとを有する。第２側面ガイド１８は、前部に拡幅部１８ａと、傾斜部１８ｂとを有する。よって、第１、第２の側面ガイド１７，１８の前部において、拡幅部１７ａおよび拡幅部１８ａ間の幅寸法を大きく確保できる。これにより、ロール紙２０を筐体２の内部に装填する際に、係員の手を差し込む空間が確保でき、ロール紙２０を容易に装填できる。
また、拡幅部１７ａの奥側に傾斜部１７ｂが形成され、拡幅部１８ａの奥側に傾斜部１８ｂが形成されている。これにより、拡幅部１７ａおよび拡幅部１８ａ間から装填するロール紙２０を傾斜部１７ｂおよび傾斜部１８ｂで装填位置に案内でき、ロール紙２０を一層容易に装填できる。
【００１４】
図３は、一実施形態における発券機１の筐体２の内部を示す平面図である。第１側面ガイド１７は、ロール紙２０の一側面２０ａ側で、一側面２０ａに対して所定間隔をおいて非接触状態に配置されている。第２側面ガイド１８は、ロール紙２０の他側面２０ｂ側で、他側面２０ｂに対して所定間隔をおいて非接触状態に配置されている。
これにより、第１、第２の側面ガイド１７，１８がロール紙２０から用紙２５（図４参照）を搬出する際の抵抗となることを防止できる。
第１、第２の側面ガイド１７，１８は、ロール紙２０を中心にして略対称の部材であり、以下、第１側面ガイド１７について説明し、第２側面ガイド１８の詳しい説明を省略する。
【００１５】
図４は、一実施形態における発券機１の搬送部３を示す側面図である。図１、図２、図４に示すように、搬送部３は、第１支持ローラ３０と、第２支持ローラ３１とを備えている。第１支持ローラ３０は、筐体２内において、前壁１０側に設けられている。第１支持ローラ３０は、底部１４に沿って筐体２の横方向に向けて延びている。
【００１６】
第２支持ローラ３１は、筐体２内において、後壁１１側に設けられている。第２支持ローラ３１は、底部１４に沿って第１支持ローラ３０と平行に延びている。第２支持ローラ３１は、駆動モータ３８に無端状のベルト３９を介して連結されている。駆動モータ３８を駆動することにより、第２支持ローラ３１が矢印Ｂ方向に回転する。
第１支持ローラ３０と第２支持ローラ３１とは、無端状のベルト３２を介して連結されている。駆動モータ３８を回転することにより、第１支持ローラ３０が第２支持ローラ３１と同一回転速度で矢印Ｃの方向に回転する。
【００１７】
第１支持ローラ３０および第２支持ローラ３１が回転することにより、ロール紙２０が矢印Ｄ方向に回転する。ロール紙２０が回転することにより、ロール紙２０の径方向外側の用紙２５が搬送ガイド３４ａ，３４ｂ，３４ｃに沿って矢印Ｅ方向に押し出される。押し出された用紙２５は上下の搬送ガイド３５ａ，３５ｂに矢印Ｆの如く案内され、一対の搬送ローラ４１，４２間に挟み込まれる。
【００１８】
一対の搬送ローラ４１，４２のうち一方の搬送ローラ４１は、第１支持ローラ３０に無端状のベルト４３で連結されている。一方の搬送ローラ４１が回転することにより、用紙２５が一対の搬送ローラ４１，４２で送り出される。
送り出された用紙２５が搬送ガイド３６に案内されてロール紙２０の後方側に矢印Ｇの如く搬送される。搬送された用紙２５がロール紙２０の上方に回り込み、搬送ガイド３７の上面を通って矢印Ｈの如く筐体２の前側に搬出される。
【００１９】
図３に戻って、側面保持部４は、第１、第２の支持ブラケット５０と、第１、第２のカラーユニット６０とを備えている。第１支持ブラケット５０は、第１側面ガイド１７に取り付けられている。第２支持ブラケット５０は、第２側面ガイド１８に取り付けられている。
第１、第２の支持ブラケット５０は、ロール紙２０を中心にして対称の部材であり、以下、第１支持ブラケット５０について詳しく説明して、第２支持ブラケット５０の詳しい説明を省略する。
【００２０】
第１カラーユニット６０は、第１支持ブラケット５０に取り付けられている。第２カラーユニット６０は、第２支持ブラケット５０に取り付けられている。
第１、第２のカラーユニット６０は、ロール紙２０を中心にして対称の部材であり、以下、第１カラーユニット６０について詳しく説明して、第２カラーユニット６０の詳しい説明を省略する。
【００２１】
図５は、一実施形態における発券機１のロール紙２０と側面保持部４とを示す側面図である。図５においては、発券機１の構成の理解を容易にするために第１側面ガイド１７を省略する。図３、図５に示すように、第１支持ブラケット５０は、ロール紙２０の第１側面２０ａ側に配置されている。第１支持ブラケット５０は、例えばロール紙２０の上部２０ｃから中央穴２３まで延びている。
第１支持ブラケット５０は、基端部５１と、折曲部５２と、先端部５３とを有する。第１支持ブラケット５０は、例えば、弾性変形可能な板材で形成されている。
基端部５１は、第１側面ガイド１７（すなわち、筐体２（図１参照）側）に外側から溶接で接合されている。基端部５１は、例えば第１側面ガイド１７にボルト、ナットやリベットなどの他の結合部材で結合されてもよい。
【００２２】
折曲部５２は、第１折曲部５２ａと、第２折曲部５２ｂとを有する。折曲部５２は、第１折曲部５２ａおよび第２折曲部５２ｂでクランク状に折り曲げられている。すなわち、第１折曲部５２ａは、基端部５１からロール紙２０の側面２０ａの反対側に向けて折り曲げられている。第２折曲部５２ｂは、第１折曲部５２ａからロール紙２０の側面２０ａに沿って折り曲げられている。よって、第２折曲部５２ｂは、ロール紙２０の側面２０ａから比較的大きく離間した位置に配置されている。
【００２３】
第２折曲部５２ｂから先端部５３がロール紙２０の側面２０ａに沿って延びている。よって、先端部５３とロール紙２０の側面２０ａとの間に比較的大きな空間が確保されている。先端部５３に第１カラーユニット６０が支持されている。また、先端部５３は、先端５３ａがロール紙２０の側面２０ａに向けて折り曲げられている。よって、先端部５３が、折り曲げられた先端５３ａで補強されている。これにより、先端部５３は、第１カラーユニット６０を強固に支持できる。
【００２４】
折り曲げられた先端５３ａは、先端部５３が自由端となるように、第１側面ガイド１７から離間された位置に配置されている。第１支持ブラケット５０は、先端部５３が自由端となることで、基端部５１を支点にして、第１側面ガイド１７から離れる矢印Ｉ方向と、第１側面ガイド１７に近づく矢印Ｊ方向とに弾性変形することができる。
【００２５】
図６は、図５のＶＩ−ＶＩ線に沿う断面図である。
図５、図６に示すように、第１カラーユニット６０は、支持軸６１と、複数のカラー６２〜６４とを備えている。複数のカラー６２〜６４の個数は適宜変更してもよい。支持軸６１は、上端部６１ａが第１支持ブラケット５０の先端部５３の上端部５３ｂに支持され、下端部６１ｂが第１支持ブラケット５０の先端部５３の下端部５３ｃに支持されている。支持軸６１は、例えばロール紙２０の上部２０ｃから中央穴２３まで延びている。
【００２６】
支持軸６１は、例えば外径６ｍｍ程度の断面円形に形成された金属製の軸である。支持軸６１の外径６ｍｍは適宜変更してもよい。支持軸６１に複数のカラー６２〜６４が回転自在に嵌合されている。複数のカラー６２〜６４を、以下、第１カラー６２、第２カラー６３、第３カラー６４として説明する。第１カラー６２、第２カラー６３および第３カラー６４は、例えば外径１０ｍｍ程度の筒状に形成された樹脂製のカラーである。第１〜第３のカラー６２〜６４の外径１０ｍｍは適宜変更してもよい。
【００２７】
第１カラー６２は、支持軸６１のうち上部に回転自在に嵌合されている。第１カラー６２は、ロール紙２０の第１側面２０ａのうち上部に位置する。第２カラー６３は、支持軸６１のうち中央部に回転自在に嵌合されている。第２カラー６３は、ロール紙２０の側面のうち、上部と中央部の上端側との間に位置する。第３カラー６４は、支持軸６１のうち下部に回転自在に嵌合されている。第３カラー６４は、ロール紙２０の側面２０ａのうち中央穴２３と同じ高さに位置する。
第１カラー６２、第２カラー６３および第３カラー６４は、支持軸６１の軸方向に回転自在に複数個重ねられている。
【００２８】
ここで、支持軸６１は金属製の軸であり、第１〜第３のカラー６２〜６４は樹脂製のカラーである。よって、支持軸６１で第１〜第３のカラー６２〜６４が強固に支えられる。さらに、支持軸６１と第１〜第３のカラー６２〜６４との摩擦力が小さく抑えられる。これにより、支持軸６１に対して第１〜第３のカラー６２〜６４を円滑に回転させることができる。
【００２９】
第１カラー６２、第２カラー６３および第３カラー６４は、第１支持ブラケット５０の先端部５３に支持されている。第１カラー６２、第２カラー６３および第３カラー６４がロール紙２０の側面２０ａに接触した状態において、第１支持ブラケット５０は、基端部５１を支点にして、第１側面ガイド１７から離れる矢印Ｉ方向（図３参照）に弾性変形されている。
よって、第１カラー６２および第２カラー６３は、第１支持ブラケット５０の付勢力でロール紙２０の側面２０ａに当接されている。第１カラー６２および第２カラー６３は、円筒状に形成されている。よって、第１カラー６２および第２カラー６３は、ロール紙２０の側面２０ａに線接触されている。
【００３０】
また、第１支持ブラケット５０は、弾性変形可能な板材で形成されている。これにより、第１〜第３のカラー６２〜６４によるロール紙２０の側面２０ａへの付勢力を、板材だけの簡単な構成で確保できる。
【００３１】
実施形態の作用について説明する。
まず、ロール紙２０を筐体２の内部に装填する動作を図２、図３に基づいて説明する。
第１、第２のカラーユニット６０の間隔は、ロール紙２０の幅寸法より小さく設定されている。この状態において、ロール紙２０を扉１６の内面１６ｂに沿わせて転がしながら筐体２（図１参照）の内部に装填する。ロール紙２０の第１側面２０ａが、第１側面ガイド１７側の第１カラーユニット６０（具体的には、第１〜第３のカラー６２〜６４）に当接する。
同時に、ロール紙２０の第２側面２０ｂが、第２側面ガイド１８側の第２カラーユニット６０（具体的には、第１〜第３のカラー６２〜６４）に当接する。
以下、第１支持ブラケット５０、第１カラーユニット６０について説明して、第２支持ブラケット５０、第２カラーユニット６０の詳しい説明を省略する。
【００３２】
第１カラーユニット６０は、弾性変形可能な第１支持ブラケット５０の先端部５３に支持されている。よって、ロール紙２０の側面２０ａが第１カラーユニット６０の第１〜第３のカラー６２〜６４に当接することにより、第１支持ブラケット５０が弾性変形してロール紙２０の側面２０ａから離れる方向に弾性変形する。
第１支持ブラケット５０が弾性変形することにより、第１〜第３のカラー６２〜６４をロール紙２０の側面２０ａから離れる方向に移動させることができる。これにより、ロール紙２０を筐体２の内部に円滑に装填できる。
装填されたロール紙２０の第１側面２０ａおよび第２側面２０ｂに第１カラーユニット６０が第１支持ブラケット５０の付勢力で適正に押圧されている。
【００３３】
つぎに、ロール紙２０から用紙２５の先端を送り出す動作を図２、図３に基づいて説明する。
第２支持ローラ３１が駆動モータを回転することにより、第２支持ローラ３１の回転が無端状のベルト３２を介して第１支持ローラ３０に伝達される。第１支持ローラ３０および第２支持ローラ３１が回転することにより、ロール紙２０が矢印Ｄ方向に回転する。
【００３４】
ロール紙２０が回転することにより、ロール紙２０の径方向外側の用紙２５が搬送ガイド３４ａ，３４ｂ，３４ｃに沿って矢印Ｅ方向に押し出される。押し出された用紙２５は上下の搬送ガイド３５ａ，３５ｂに矢印Ｆの如く案内され、一対の搬送ローラ４１，４２間に挟み込まれる。
一対の搬送ローラ４１，４２のうち一方の搬送ローラ４１は、第１支持ローラ３０に無端状のベルト（図示せず）で連結されている。一方の搬送ローラ４１が回転することにより、用紙２５が一対の搬送ローラ４１，４２、第１支持ローラ３０および第２支持ローラ３１で送り出される。
【００３５】
ついで、発券機１による発券動作を図１、図５に基づいて説明する。
発券機１は、改札機による改札処理に必要な情報としての乗車券情報を生成し、生成した乗車券情報を券媒体に記録して乗車券を発券する発券処理を行う。
乗車券情報は、例えば、乗車可能な区間、及び発券した駅、及び有効期間などの情報である。発券機１は、例えば磁気乗車券（磁気券）を発券する。磁気券は、券媒体の磁気記録層に乗車券情報などの情報が磁気で記録された乗車券である。
例えば、発券機１は、発券時にロール紙２０から用紙２５を送り出して切断し、切断した券紙（券媒体）の表面に磁気書込み及び印字などの券処理を行い、乗車券を発券する。
【００３６】
つぎに、ロール紙２０から用紙２５を送り出す動作を図３、図５、図６に基づいて説明する。
ロール紙２０の第１側面２０ａおよび第２側面２０ｂに第１カラーユニット６０が第１支持ブラケット５０の付勢力で適正に押圧されている。以下、ロール紙２０の第１側面２０ａ側について説明して第２側面２０ｂ側の説明を省略する。
また、図５、図６に示すように、第３カラー６４はロール紙２０の第１側面２０ａのうち中央穴２３と同じ高さに位置している。よって、第１カラー６２および第２カラー６３がロール紙２０の第１側面２０ａに接触しているものとして説明する。
【００３７】
第１カラー６２および第２カラー６３がロール紙２０の第１側面２０ａに適正な押圧力で接触している。この状態において、第１支持ローラ３０、第２支持ローラ３１および一対の搬送ローラ４１，４２が回転することにより、ロール紙２０が矢印Ｄ方向に回転する。ロール紙２０が回転することにより、ロール紙２０から用紙２５が順次送り出される。
【００３８】
ロール紙２０の回転により、ロール紙２０の側面２０ａから第１カラー６２および第２カラー６３を矢印Ｋ方向に回転する力が作用する。第１カラー６２および第２カラー６３は矢印Ｋ方向に回転する。
また、支持軸６１は金属で形成され、第１カラー６２は樹脂で形成されている。樹脂は滑りやすい材料である。よって、第１カラー６２は、支持軸６１に対して円滑に回転することができる。
これにより、ロール紙２０が回転する際の、第１カラー６２および第２カラー６３（すなわち、第１カラーユニット６０）による抵抗を小さく抑えることができる。これにより、ロール紙２０を回転させて用紙２５を搬送する際の抵抗を小さく抑えることができる。
【００３９】
ところで、第１支持ローラ３０および第２支持ローラ３１でロール紙２０を回転することにより、例えばロール紙２０が上方に跳ね上がることが考えられる。ロール紙２０が上方に跳ね上がることにより、ロール紙２０の下方の用紙２５がロール紙２０から下方に離れることが考えらえる。さらに、下方に離れた用紙２５がロール紙２０から軸線２１方向（以下、横方向という）に移動することが考えられる。
ここで、ロール紙２０の側面２０ａに第１カラー６２および第２カラー６３（すなわち、第１カラーユニット６０）が第１支持ブラケット５０の付勢力で適正に当接されている。よって、ロール紙２０が上方に跳ね上がることを第１カラーユニット６０で抑えることができる。これにより、ロール紙２０の径方向外側全周の用紙２５が横方向に移動することを抑えることができる。
【００４０】
このように、ロール紙２０の用紙２５が横方向に移動することを第１カラーユニット６０で抑えることができる。これにより、用紙２５が横方向に移動して、例えば用紙２５の側縁が第１側面ガイド１７で折り曲げられることを防止できる。
【００４１】
また、ロール紙２０が回転する際に、ロール紙２０の中心から径方向に離れるにつれてロール紙２０の周速が速くなる。第１カラーユニット６０は、カラーが第１〜第３のカラー６２〜６４に分割されている。すなわち、第１〜第３のカラー６２〜６４の長さ寸法が小さく抑えられている。
よって、ロール紙２０の中心から径方向に離れるにつれてロール紙２０の周速が速くなる変化に対応することが可能になる。これにより、第１カラーユニット６０のカラーを一体に形成した場合と比べて、ロール紙２０を回転させて用紙２５を搬送する際の抵抗を一層小さく抑えることができる。
【００４２】
ここで、第１支持ローラ３０および第２支持ローラ３１でロール紙２０を回転することにより、例えばロール紙２０の径方向外側で、特にロール紙２０の上方の用紙２５がロール紙２０から浮き上がることも考えられる。さらに、浮き上がった用紙２５が横方向に移動することが考えられる。
ロール紙２０の側面２０ａの上部に第１カラー６２が第１支持ブラケット５０の付勢力で当接されている。すなわち、ロール紙２０の側面２０ａの上部が第１カラー６２で拘束されている。よって、浮き上がった用紙２５がロール紙２０の横方向に移動することを第１カラー６２で抑えることができる。
【００４３】
ところで、ロール紙２０から用紙２５が搬出されることにより、ロール紙２０の外径が徐々に小さくなる。ロール紙２０の中央穴２３が想像線（図５参照）で示す位置まで徐々に下方に移動する。この場合においても、第１カラー６２、第２カラー６３、および第３カラー６４が回転することにより、ロール紙２０が回転する際の、第１〜第３のカラー６２〜６４による抵抗を小さく抑えることができる。
また、ロール紙２０の中央穴２３が徐々に下方に移動する場合においても、ロール紙２０の用紙２５が横方向に移動することを第１〜第３のカラー６２〜６４で抑えることができる。
【００４４】
前記実施形態では、本発明を発券機１に適用する例について説明したが、ロール紙から用紙を送り出す他の装置に本発明を適用してもよい。
また、前記実施形態では、ロール紙２０を第１、第２の支持ローラ３０，３１に載せた状態に装填する発券機に本発明を適用する例について説明したが、ロール紙２０の中央穴を支持軸で支えた状態に装填する発券機に本発明を適用してもよい。
【００４５】
さらに、第１、第２の支持ブラケット５０を弾性変形可能な一枚の板材で形成した例について説明したが、第１、第２の支持ブラケット５０の先端部５３を分割させてもよい。先端部５３を分割させて第１、第２の支持ブラケット５０の本体部にボルト、ナットなどで着脱可能に取り付けることにより、先端部５３に支持した第１〜第３のカラー６２〜６４の交換を容易におこなうことができる。
【００４６】
また、第１、第２の支持ブラケット５０を弾性変形可能な板材で形成した例について説明したが、ばね部材やゴム部材などを利用して第１〜第３のカラー６２〜６４をロール紙２０の側面２０ａに押圧させてもよい。
【００４７】
さらに、第１、第２のカラーユニット６０をロール紙２０の側面２０ａの中央で、かつ、上下方向に向けて配置した例について説明したが、これに限らない。第１、第２のカラーユニット６０を中央からずらして配置してもよく、あるいは、第１、第２のカラーユニット６０を横向き、傾斜させた向きに配置してもよい。
また、第１、第２のカラーユニット６０を、一例として、ロール紙２０の上部２０ｃから中央穴２３まで延ばした例について説明しが、第１、第２のカラーユニット６０の長さ寸法は任意に変えてもよい。
【００４８】
以上説明した少なくともひとつの実施形態によれば、第１、第２の支持ブラケット５０の付勢力でロール紙２０の両側面２０ａ，２０ｂに当接される第１、第２のカラーユニット６０を持つ。これにより、ロール紙２０の横方向へのずれと搬送の抵抗を抑えることができる。
【００４９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５０】
１…発券機、２…筐体、１７，１８…第１、第２の側面ガイド（筐体側）、２０…ロール紙、２０ａ，２０ｂ…ロール紙の両側面、２１…軸線、５０…第１、第２の支持ブラケット（支持ブラケット）、５１…第１、第２の支持ブラケットの基端部、５３…第１、第２の支持ブラケットの先端部、６０…第１、第２のカラーユニット（カラーユニット）、６１…支持軸、６２…第１カラー（カラー）、６３…第３のカラー（カラー）、６４…第３カラー（カラー）
【図１】
2018154473.tif 000003
【図２】
2018154473.tif 000004
【図３】
2018154473.tif 000005
【図４】
2018154473.tif 000006
【図５】
2018154473.tif 000007
【図６】
2018154473.tif 000008